(57)【要約】【課題】少なくとも配電盤の仕上がり外形横幅寸法精度を高くすることができるとともに、パネル組立作業を容易に行うことができる配電盤の薄板パネルフレーム構造を提供すること。【解決手段】底板薄板パネル１１及び天井板薄板パネル１２の折り曲げ部１１ａ，１２ａに一対の前柱側板薄板パネル１３、一対の中柱側板薄板パネル１４、一対の後柱側板薄板パネル１５の下端平面部１３ａ，１４ａ，１５ａ及び上端平面部１３ｂ，１４ｂ，１５ｂを、各内側エンボス加工部３１と各外側エンボス加工部３０とを位置決め部として用いて重ね合わせ、各内側エンボス加工部３１と各外側エンボス加工部３０とをリベット止めする。【選択図】図１
2018007389.tif 000002
【特許請求の範囲】
【請求項１】
底板薄板パネル、一対の側板薄板パネル、及び、天井板薄板パネルを組み立てて配電盤の筐体基本構造を形成する配電盤の薄板パネルフレーム構造であって、
前記底板薄板パネルは、表面にメッキ処理を施した薄板鋼板及び不銹鋼板からなる前記一対の側板薄板パネル側の側端部を上方に向けてＬ字曲げ加工した折り曲げ部を形成し、かつ、前記折り曲げ部に前記配電盤の内側に向けて押し出した複数の内側エンボス加工部を形成し、
前記天井板薄板パネルは、前記一対の側板薄板パネル側の側端部を下方に向けてＬ字曲げ加工した折り曲げ部を形成し、かつ、前記折り曲げ部に前記配電盤の内側に向けて押し出した複数の内側エンボス加工部を形成し、
前記一対の側板薄板パネルは、前記底板薄板パネルの前記折り曲げ部の外側表面に接する下端平面部及び前記天井板薄板パネルの前記折り曲げ部の外側表面に接する上端平面部のそれぞれに前記配電盤の内側に向けて押し出した、前記内側エンボス加工部と同一形状のリベット接触面を有する複数の外側エンボス加工部を各内側エンボス加工部の位置に対応して形成し、
前記底板薄板パネル及び前記天井板薄板パネルの前記折り曲げ部に前記一対の側板薄板パネルの下端平面部及び上端平面部を、各内側エンボス加工部と各外側エンボス加工部とを位置決め部として用いて重ね合わせ、各内側エンボス加工部と各外側エンボス加工部とをリベット止めすることを特徴とする配電盤の薄板パネルフレーム構造。
【請求項２】
前記一対の側板薄板パネルは、前記配電盤の前側の一対の辺をそれぞれ含む一対の前柱側板薄板パネル、前記配電盤の後側の一対の辺をそれぞれ含む一対の後柱側板薄板パネル、前記一対の前柱側板薄板パネルと前記一対の後柱側板薄板パネルとの間にそれぞれ配置される一対の中柱側板薄板パネルの３対の離隔したパネルで形成されることを特徴とする請求項１に記載の配電盤の薄板パネルフレーム構造。
【請求項３】
前記一対の中柱側板薄板パネルは、中央部分に母線配置用の開口部が形成され、両側部分を前記配電盤の内側に向けてコの字状に折り曲げ加工されていることを特徴とする請求項２に記載の配電盤の薄板パネルフレーム構造。
【請求項４】
前記一対の前柱側板薄板パネルは、前記配電盤の前側側部を前記配電盤の内側に向けてコの字状に折り曲げ加工され、前記配電盤の後側側部を前記配電盤の内側に向けてＺ字状に折り曲げ加工されていることを特徴とする請求項２または３に記載の配電盤の薄板パネルフレーム構造。
【請求項５】
前記一対の後柱側板薄板パネルは、前記配電盤の後側側部を前記配電盤の内側に向けてコの字状に折り曲げ加工され、前記配電盤の前側側部を前記配電盤の内側に向けてＺ字状に折り曲げ加工されていることを特徴とする請求項２〜４のいずれか一つに記載の配電盤の薄板パネルフレーム構造。
【請求項６】
組み合わされる一対の前記内側エンボス加工部と前記外側エンボス加工部との大きさは、配置される位置で異なるものを含むことを特徴とする請求項１〜５のいずれか一つに記載の配電盤の薄板パネルフレーム構造。
【発明の詳細な説明】
【技術分野】
【０００１】
本発明は、少なくとも配電盤の仕上がり外形横幅寸法精度を高くすることができるとともに、パネル組立作業を容易に行うことができる配電盤の薄板パネルフレーム構造に関する。
【背景技術】
【０００２】
従来の配電盤は、アングル鋼材に塗装処理を施し、縦梁、横梁、奥行き方向の梁を組み合わせ、その梁結合部を溶接接合等を行って筐体を構築し、その後、箱形枠組の周面に側面、底板、天井板、背面カバーを組み立てるのが一般的であった。
【０００３】
しかし、近年の配電盤は、盤の製作コスト低減や軽量化、溶接レス化や塗装レス化が推進されており、薄板に板金曲げ加工を施して作成した側板パネル、底板パネル、天井板パネルを組み合わせ、パネルの相互間をねじ締結、もしくはリベット止めするパネル組立方式の筐体構造が多く製作される傾向にある（特許文献１参照）。
【先行技術文献】
【特許文献】
【０００４】
【特許文献１】特開平９−３２２３２４号公報
【発明の概要】
【発明が解決しようとする課題】
【０００５】
ところで、配電盤の筐体には、組立性や強度の確保以外に、仕上がり寸法の精度が求められる。これは、配電盤の列盤時に、個々の配電盤の外形横幅寸法に誤差やばらつきがあると、据付床面に敷設した共通ベース枠の上に並置搭載する各配電盤が正しい位置に収まらず、相互間に不要な隙間が生じたり、逆に、共通ベース枠から、はみ出してしまうといった不具合が生じるからである。
【０００６】
ここで、従来の配電盤のパネル筐体構造では、図８に示すように、側板パネル１０１と底板パネル１０２との間の結合部は、側板パネル１０１の底辺をコの字状に曲げ加工し、底板パネル１０２の横幅方向の左右側辺をＬ字状に曲げ加工し、各曲げ加工した折り曲げ部の板面同士を重ね合わせてネジ締結している。
【０００７】
この折り曲げ部は、板金曲げ加工の専用プレス機を使用し、このプレス機に作業員がワークを位置決めセットして曲げ加工の作業を行うことによって形成される。Ｌ字状の曲げ加工は１回の曲げ加工工程で行われ、コの字状の曲げ加工は２回の曲げ加工工程で行われる。この板金曲げ加工には少なからず寸法、直角度に誤差を伴う。図８に示したパネル筐体構造では、曲げ加工工程数に伴って、寸法、直角度の誤差分が横幅方向に累積され、配電盤の外形横幅寸法Ｗａを設計通りの寸法精度で仕上げることは困難な場合が多い。
【０００８】
一方、従来の配電盤の薄板パネル筐体構造では、配電盤を組み立てる際、各パネルの位置合わせに時間がかかるとともに、パネルの組立位置精度の維持が難しいという問題もあった。
【０００９】
本発明は、上記に鑑みてなされたものであって、少なくとも配電盤の仕上がり外形横幅寸法精度を高くすることができるとともに、パネル組立作業を容易に行うことができる配電盤の薄板パネルフレーム構造を提供することを目的とする。
【課題を解決するための手段】
【００１０】
上述した課題を解決し、目的を達成するために、本発明にかかる配電盤の薄板パネルフレーム構造は、表面にメッキ処理を施した薄板鋼板及び不銹鋼板からなる底板薄板パネル、一対の側板薄板パネル、及び、天井板薄板パネルを組み立てて配電盤の筐体基本構造を形成する配電盤の薄板パネルフレーム構造であって、前記底板薄板パネルは、前記一対の側板薄板パネル側の側端部を上方に向けてＬ字曲げ加工した折り曲げ部を形成し、かつ、前記折り曲げ部に前記配電盤の内側に向けて押し出した複数の内側エンボス加工部を形成し、前記天井板薄板パネルは、前記一対の側板薄板パネル側の側端部を下方に向けてＬ字曲げ加工した折り曲げ部を形成し、かつ、前記折り曲げ部に前記配電盤の内側に向けて押し出した複数の内側エンボス加工部を形成し、前記一対の側板薄板パネルは、前記底板薄板パネルの前記折り曲げ部の外側表面に接する下端平面部及び前記天井板薄板パネルの前記折り曲げ部の外側表面に接する上端平面部のそれぞれに前記配電盤の内側に向けて押し出した、前記内側エンボス加工部と同一形状のリベット接触面を有する複数の外側エンボス加工部を各内側エンボス加工部の位置に対応して形成し、前記底板薄板パネル及び前記天井板薄板パネルの前記折り曲げ部に一対の側板薄板パネルの下端平面部及び上端平面部を、各内側エンボス加工部と各外側エンボス加工部とを位置決め部として用いて重ね合わせ、各内側エンボス加工部と各外側エンボス加工部とをリベット止めすることを特徴とする。
【００１１】
また、本発明にかかる配電盤の薄板パネルフレーム構造は、上記の発明において、前記一対の側板薄板パネルは、前記配電盤の前側の一対の辺をそれぞれ含む一対の前柱側板薄板パネル、前記配電盤の後側の一対の辺をそれぞれ含む一対の後柱側板薄板パネル、前記一対の前柱側板薄板パネルと一対の後柱側板薄板パネルとの間にそれぞれ配置される一対の中柱側板薄板パネルの３対の離隔したパネルで形成されることを特徴とする。
【００１２】
また、本発明にかかる配電盤の薄板パネルフレーム構造は、上記の発明において、前記一対の中柱側板薄板パネルは、中央部分に母線配置用の開口部が形成され、両側部分を前記配電盤の内側に向けてコの字状に折り曲げ加工されていることを特徴とする。
【００１３】
また、本発明にかかる配電盤の薄板パネルフレーム構造は、上記の発明において、前記一対の前柱側板薄板パネルは、前記配電盤の前側側部を前記配電盤の内側に向けてコの字状に折り曲げ加工され、前記配電盤の後側側部を前記配電盤の内側に向けてＺ字状に折り曲げ加工されていることを特徴とする。
【００１４】
また、本発明にかかる配電盤の薄板パネルフレーム構造は、上記の発明において、前記一対の後柱側板薄板パネルは、前記配電盤の後側側部を前記配電盤の内側に向けてコの字状に折り曲げ加工され、前記配電盤の前側側部を前記配電盤の内側に向けてＺ字状に折り曲げ加工されていることを特徴とする。
【００１５】
また、本発明にかかる配電盤の薄板パネルフレーム構造は、上記の発明において、組み合わされる一対の前記内側エンボス加工部と前記外側エンボス加工部との大きさは、配置される位置で異なるものを含むことを特徴とする。
【発明の効果】
【００１６】
本発明によれば、パネル組立時に横幅方向における曲げ加工部分が少ないうえ、少なくとも配電盤の仕上がり外形横幅寸法精度を高くすることができるとともに、エンボス加工部を用いてパネル間の位置決めが可能なので、パネル組立作業を容易に行うことができる。
【図面の簡単な説明】
【００１７】
【図１】図１は、本発明の実施の形態である配電盤の全体構成を示す斜視図である。
【図２】図２は、前柱側板薄板パネルと底板薄板パネルとの組み合わせ状態を示す拡大斜視図である。
【図３】図３は、前柱側板薄板パネルと底板薄板パネルとが組み立てられる際のリベット止め位置の構造を示すＡ−Ａ線断面図である。
【図４】図４は、前柱側板薄板パネルと底板薄板パネルと天井板薄板パネルとの組み立て状態を示すＢ−Ｂ線断面図である。
【図５】図５は、前柱側板薄板パネルの構成を示す斜視図である。
【図６】図６は、中柱側板薄板パネルの構成を示す斜視図である。
【図７】図７は、後柱側板薄板パネルの構成を示す斜視図である。
【図８】図８は、従来のパネル筐体構造の組立の一例を示す図である。
【発明を実施するための形態】
【００１８】
以下、添付図面を参照してこの発明を実施するための形態について説明する。
【００１９】
図１は、本発明の実施の形態である配電盤１の筐体基本構造を示す斜視図である。この配電盤１は、底板薄板パネル１１、天井板薄板パネル１２、及び、一対の前柱側板薄板パネル１３と一対の中柱側板薄板パネル１４と一対の後柱側板薄板パネル１５とからなる一対の側板薄板パネル１６の組み合わせによって筐体基本構造を形成している。
【００２０】
一対の前柱側板薄板パネル１３は、配電盤１の前側（＋Ｙ方向）の一対の辺２１をそれぞれ含む。一対の後柱側板薄板パネル１５は、配電盤１の後側（−Ｙ方向）の一対の辺２２をそれぞれ含む。一対の中柱側板薄板パネル１４は、一対の前柱側板薄板パネル１３と一対の後柱側板薄板パネル１５との間でそれぞれに離隔して配置される。
【００２１】
底板薄板パネル１１には、一対の側板薄板パネル１６側の両側側端部を上方（＋Ｚ方向）に向けてＬ字曲げ加工した折り曲げ部１１ａが形成されている。また、折り曲げ部１１ａには、配電盤１のＸ軸方向で内側に向けて押し出した複数の内側エンボス加工部３１が形成されている。
【００２２】
天井板薄板パネル１２には、一対の側板薄板パネル１６側の両側側端部を下方（−Ｚ方向）に向けてＬ字曲げ加工した折り曲げ部１２ａが形成されている。また、折り曲げ部１２ａには、配電盤１のＸ軸方向で内側に向けて押し出した複数の内側エンボス加工部３１が形成されている。
【００２３】
一対の前柱側板薄板パネル１３は、底板薄板パネル１１の折り曲げ部１１ａの外側表面に接する下端平面部１３ａ及び天井板薄板パネル１２の折り曲げ部１２ａの外側表面に接する上端平面部１３ｂを有する。下端平面部１３ａ及び上端平面部１３ｂのそれぞれには配電盤１のＸ軸方向で内側に向けて押し出した、内側エンボス加工部３１と同一形状のリベット接触面を有する複数の外側エンボス加工部３０が、折り曲げ部１１ａ，１２ａに形成された内側エンボス加工部３１の位置に対応して形成されている。
【００２４】
同様に、一対の中柱側板薄板パネル１４は、底板薄板パネル１１の折り曲げ部１１ａの外側表面に接する下端平面部１４ａ及び天井板薄板パネル１２の折り曲げ部１２ａの外側表面に接する上端平面部１４ｂを有する。下端平面部１４ａ及び上端平面部１４ｂのそれぞれには配電盤１のＸ軸方向で内側に向けて押し出した、内側エンボス加工部３１と同一形状のリベット接触面を有する複数の外側エンボス加工部３０が、折り曲げ部１１ａ，１２ａに形成された内側エンボス加工部３１の位置に対応して形成されている。
【００２５】
同様に、一対の後柱側板薄板パネル１５は、底板薄板パネル１１の折り曲げ部１１ａの外側表面に接する下端平面部１５ａ及び天井板薄板パネル１２の折り曲げ部１２ａの外側表面に接する上端平面部１５ｂを有する。下端平面部１５ａ及び上端平面部１５ｂのそれぞれには配電盤１のＸ軸方向で内側に向けて押し出した、内側エンボス加工部３１と同一形状のリベット接触面を有する複数の外側エンボス加工部３０が、折り曲げ部１１ａ，１２ａに形成された内側エンボス加工部３１の位置に対応して形成されている。
【００２６】
図２は、底板薄板パネル１１と前柱側板薄板パネル１３との組み合わせ状態を示す拡大斜視図である。また、図３は、前柱側板薄板パネル１３と底板薄板パネル１１とが組み立てられる際のリベット止め位置の構造を示すＡ−Ａ線断面図である。さらに、図４は、前柱側板薄板パネル１３と底板薄板パネル１１と天井板薄板パネル１２との組み立て状態を示すＢ−Ｂ線断面図である。
【００２７】
配電盤１は、底板薄板パネル１１及び天井板薄板パネル１２の各折り曲げ部１１ａ，１２ａに、一対の前柱側板薄板パネル１３、一対の中柱側板薄板パネル１４、及び一対の後柱側板薄板パネル１５の各下端平面部１３ａ，１４ａ，１５ａ及び各上端平面部１３ｂ，１４ｂ，１５ｂを、各内側エンボス加工部３１と各外側エンボス加工部３０とを位置決め部として用いて重ね合わせ、各内側エンボス加工部３１と各外側エンボス加工部３０とをリベット止めする。例えば、図２に示すように、底板薄板パネル１１の折り曲げ部１１ａの外側表面と、この外側表面に接触する、前柱側板薄板パネル１３の下端平面部１３ａとは、折り曲げ部１１ａに形成された各内側エンボス加工部３１と下端平面部１３ａに形成された各外側エンボス加工部３０とが位置決め部として機能して組み合わされ、それぞれがリベット２によってリベット止めされる。
【００２８】
図３に示すように、前柱側板薄板パネル１３の下端平面部１３ａと底板薄板パネル１１の折り曲げ部１１ａとのリベット止め位置には、それぞれ、配電盤１の内側（Ｃ方向）に向けて押し出した同一形状のリベット接触面３２を有する外側エンボス加工部３０と内側エンボス加工部３１とが重ね合されて形成される。たとえば、外側エンボス加工部３０と内側エンボス加工部３１は、円形状に押し出される。
【００２９】
外側エンボス加工部３０と内側エンボス加工部３１の中央には、リベット２を貫通させる貫通孔３０ａ，３１ａがそれぞれ同一位置かつ同一径で形成される。リベット２の頭部の位置は、下端平面部１３ａの表面以下の位置となり、下端平面部１３ａの表面から突出しない。したがって、複数の配電盤１を容易に列配置することができる。また、リベット２として強度の高い丸頭リベットなどを用いることで、リベット数を低減でき、パネル組立時間を短縮することができる。
【００３０】
また、外側エンボス加工部３０の傾斜部３０ｂと内側エンボス加工部３１の傾斜部３１ｂとは、傾斜部３０ｂ，３１ｂ間に隙間が形成されるように傾きを異ならせている。具体的には、傾斜部３０ｂの傾斜を傾斜部３１ｂの傾斜よりも大きくしている。この隙間の形成により、前柱側板薄板パネル１３の下端平面部１３ａと底板薄板パネル１１の折り曲げ部１１ａとの位置ずれ方向（Ｄ方向）の力を分散することができる。また、外側エンボス加工部３０と内側エンボス加工部３１の各傾斜部３０ｂ，３１ｂの加工精度のバラツキがある場合でも、このバラツキを隙間が吸収することによって重ね合わせ時の浮きを抑えることができる。なお、内側エンボス加工部３１のリベット接触面３２側の平坦面も、加工精度のバラツキを考慮して、外側エンボス加工部３０のリベット接触面３２側の平坦面に比して所定マージン分、大きくしておくことが好ましい。
【００３１】
また、下端平面部１３ａと折り曲げ部１１ａのリベット止め位置には、同一形状のリベット接触面３２を有する外側エンボス加工部３０と内側エンボス加工部３１とが形成されているため、リベット止めの位置決めを容易に行うことができる。この結果、パネル組立を容易に行うことができるとともに、パネル組立時間を短縮することができる。
【００３２】
さらに、下端平面部１３ａと折り曲げ部１１ａのリベット止め位置には、同一形状のリベット接触面３２を有する外側エンボス加工部３０と内側エンボス加工部３１とが形成されているため、リベット止め後、下端平面部１３ａと折り曲げ部１１ａとの位置ずれ（Ｄ方向の位置ずれ）を抑え、パネル組立後における荷重、振動によるリベット抜けを抑えることができる。
【００３３】
また、図４に示すように、底板薄板パネル１１の折り曲げ部１１ａの外側表面と、前柱側板薄板パネル１３の下端平面部１３ａの内側表面とが接触してリベット結合されており、天井板薄板パネル１２の折り曲げ部１２ａの外側表面と、前柱側板薄板パネル１３の上端平面部１３ｂの内側表面とが接触してリベット結合されている。ここで、前柱側板薄板パネル１３の下端平面部１３ａ及び上端平面部１３ｂは折り曲げ加工されておらず、底板薄板パネル１１の折り曲げ部１１ａ及び天井板薄板パネルの折り曲げ部１２ａは、それぞれ１回のＬ字状の折り曲げ加工のみであり、幅方向（Ｘ方向）では２つの折り曲げ加工が施されているのみである。なお、一対の中柱側板薄板パネル１４及び一対の後柱側板薄板パネル１５も同様なパネル組立結合である。
【００３４】
したがって、図８に示した幅方向で折り曲げ加工数が多いパネル組立構造に比して、本実施の形態では折り曲げ加工数が少ないため、配電盤１の外形横幅寸法Ｗの精度を高くすることができ、外形横幅寸法Ｗを設計通りの寸法精度で仕上げることができる。
【００３５】
図５は、前柱側板薄板パネル１３の構成を示す斜視図である。また、図６は、中柱側板薄板パネル１４の構成を示す斜視図である。さらに、図７は、後柱側板薄板パネル１５の構成を示す斜視図である。
【００３６】
図１及び図５に示すように、前柱側板薄板パネル１３には、配電盤１の前側（＋Ｙ方向）側部を配電盤１の内側に向けてコの字状に折り曲げ加工した曲げ加工部４０と、配電盤１の後側（−Ｙ方向）側部を配電盤１の内側に向けてＺ字状に折り曲げ加工した曲げ加工部４１とが形成されている。曲げ加工部４０には、前面薄板パネル扉をヒンジで取り付けるための丸穴４０ａが形成されている。また、曲げ加工部４１には、制御機器取付用部材及び仕切板の取付を可能とするように、一定間隔で、リベットかしめ用の丸穴と、ヘキサナットを使用したネジ止め用の六角穴とが形成されている。なお、前柱側板薄板パネル１３の中央部分には、盤間の渡り線用の開口部４２が形成されている。この開口部４２は、角穴である。開口部４２を丸穴にするとニプリング加工が必要となって時間がかかるが、角穴とすることによって加工が容易となる。
【００３７】
図１及び図６に示すように、中柱側板薄板パネル１４には、中央部分に、列盤時に盤間接続用母線を通す母線配置用の開口部５０が形成されている。この開口部５０は、角穴である。母線は、１枚の薄板の開口部５０を貫通するのみである。従来は、母線貫通部の四辺を複数の部材で構成しており、母線貫通部の接続部での振動ずれや部材の寸法精度による発熱のおそれがあった。本実施の形態では、角穴を施しただけで曲げ加工も必要なく、母線の接続部がないので振動ずれや寸法誤差による発熱もない。さらに、母線の通電電流が大きくなる場合を考慮して十分な空間距離を確保することができ、空間距離を確保できない場合に使用する非磁性体材料を用いなくてよくなり、コストを抑えることができる。
【００３８】
また、中柱側板薄板パネル１４には、Ｙ方向の両側部分を配電盤１の内側に向けてコの字状に折り曲げ加工した曲げ加工部５１，５２が形成されている。曲げ加工部５１，５２には、曲げ加工部４１と同様に、制御機器取付用部材及び仕切板の取付を可能とするように、一定間隔で、リベットかしめ用の丸穴と、ヘキサナットを使用したネジ止め用の六角穴とが形成されている。
【００３９】
図１及び図７に示すように、後柱側板薄板パネル１５には、配電盤１の後側（−Ｙ方向）側部を配電盤１の内側に向けてコの字状に折り曲げ加工した曲げ加工部６０と、配電盤１の前側（＋Ｙ方向）側部を配電盤１の内側に向けてＺ字状に折り曲げ加工した曲げ加工部６１とが形成されている。曲げ加工部６０には、後面薄板パネル扉をヒンジで取り付け可能にするための丸穴と、後面カバーとしての薄板パネルの取付をも可能にする、ヘキサナットを使用したネジ止め用の六角穴とが形成されている。
【００４０】
なお、＋Ｙ方向端面には、図示しない前面薄板パネル扉が取り付けられ、−Ｙ方向端面には、図示しない後面薄板パネルあるいは後面薄板パネル扉が取り付けられる。また、前柱側板薄板パネル１３と中柱側板薄板パネル１４との間、あるいは後柱側板薄板パネル１５と中柱側板薄板パネル１４との間、さらに、中柱側板薄板パネル１４間には、図示しない一対の中間薄板パネルが必要に応じて組み付けられる。中間薄板パネルには、底板薄板パネル１１及び天井板薄板パネル１２の各内側エンボス加工部３１に対応した外側エンボス加工部３０が形成されてリベット結合され、前柱側板薄板パネル１３、中柱側板薄板パネル１４、後柱側板薄板パネル１５の各側面と同一面を形成する。
【００４１】
また、底板薄板パネル１１及び天井板薄板パネル１２の形状を変えるのみで種々の幅と奥行きとの組み合わせパターンをもつ配電盤を容易に構成することができる。
【００４２】
なお、上述した配電盤１の各薄板パネル（底板薄板パネル１１，天井板薄板パネル１２，側板薄板パネル１６は、表面にメッキ処理を施した薄板鋼板及び不銹鋼板である。このため、配電盤１の各薄板パネルは、塗装処理が必要なく、リベット結合のみで溶接加工も不要であるため、工数が削減され、品質のばらつきもなく、特殊な技術をもたない一般作業者であっても寸法精度の高いパネル組立を容易かつ短時間に行うことができる。
【００４３】
また、組み合わされる一対の内側エンボス加工部３１と外側エンボス加工部３０との大きさは、配置される位置で異なるようにしてもよい。これによって、さらにパネル組立の位置決め精度を高めることができるとともに、組立ミスを防止することができる。
【符号の説明】
【００４４】
１  配電盤
２  リベット
１１  底板薄板パネル
１１ａ，１２ａ  折り曲げ部
１２  天井板薄板パネル
１３  前柱側板薄板パネル
１３ａ，１４ａ，１５ａ      下端平面部
１３ｂ，１４ｂ，１５ｂ      上端平面部
１４  中柱側板薄板パネル
１５  後柱側板薄板パネル
１６  側板薄板パネル
２１，２２  辺
３０  外側エンボス加工部
３０ａ，３１ａ  貫通孔
３０ｂ，３１ｂ  傾斜部
３１  内側エンボス加工部
３２  リベット接触面
４０，４１，５１，５２，６０，６１  曲げ加工部
４０ａ  丸穴
４２，５０  開口部
Ｗ  外形横幅寸法
【図１】
2018007389.tif 000003
【図２】
2018007389.tif 000004
【図３】
2018007389.tif 000005
【図４】
2018007389.tif 000006
【図５】
2018007389.tif 000007
【図６】
2018007389.tif 000008
【図７】
2018007389.tif 000009
【図８】
2018007389.tif 000010